(57)【特許請求の範囲】
【請求項１】
ベニヤレースと定尺切断装置とをコンベヤを介して連結し、ベニヤレースによって原木から削成する一様な厚さのベニヤ単板の内で、不用部分を有しない帯状のベニヤ単板については、前記定尺切断装置を用いて所定長さ毎に順次定尺切断することにより、所要寸法の定尺ベニヤ単板を順次形成する単板切削切断処理工程に於て、適宜の単板全長予測手段を用いて、個々の原木毎に、各原木を規定の剥芯径まで切削した場合に削成される帯状のベニヤ単板の全長を予測的に算出すると共に、規定の剥芯径に於ける原木切削の完了に伴って、帯状のベニヤ単板の後尾に付随的に削成される、展開した際の断面が三角状の不良単板と帯状のベニヤ単板との境界位置から逆算した距離が、前記予測的に算出した全長の範囲内で、且つ、予め規定した捨切り長さと定尺ベニヤ単板の定尺長さの整数倍の長さとを加算した長さとなる特定の箇所を算定し、該特定の箇所を定尺切断の起点位置として、定尺切断処理を開始することを特徴とする単板切削切断処理工程に於けるベニヤ単板の定尺切断方法。
【請求項２】
ベニヤレースの前位に原木の芯出し装置を備え、該原木の芯出し装置に於ける各原木の外周形状の検知信号に基づいて、ベニヤレースに於ける各原木の回転中心軸を定めると共に、各原木から削成される帯状のベニヤ単板の全長を予測的に算出して成る請求項１記載の単板切削切断処理工程に於けるベニヤ単板の定尺切断方法。
【請求項３】
ベニヤレースと定尺切断装置との間に、不用部分の有無の判別に用いる検知信号を発信する単板検知機構を配設し、削成されるベニヤ単板の最も搬送方向下手側にある不用部分の所在位置を、前記単板検知機構の検知信号に基づいて判別した時点に於ける、ベニヤレースの切削刃の現存位置と、前記最も搬送方向下手側にある不用部分との離間距離に基づいて算出される、既に削成された帯状のベニヤ単板の長さと、ベニヤレースの切削刃の現存位置に基づいて算出される、残余の原木部分から削成される帯状のベニヤ単板の長さとを合算することによって、帯状のベニヤ単板の全長を予測的に算出して成る請求項１記載の単板切削切断処理工程に於けるベニヤ単板の定尺切断方法。
【請求項４】
ベニヤレースに於て現に切削する原木が、帯状のベニヤ単板の削成に適する状態に至ったか否かを、適宜の原木判別手段によって判別すると共に、帯状のベニヤ単板の削成に適する状態に至った時点に於ける、ベニヤレースの切削刃の現存位置に基づいて、残余の原木部分から削成される、帯状のベニヤ単板の全長を予測的に算出して成る請求項１記載の単板切削切断処理工程に於けるベニヤ単板の定尺切断方法。
【請求項５】
ベニヤレースに於て現に切削する原木が、帯状のベニヤ単板の削成に適する状態に至ったか否かを、ベニヤレースの運転者の目視によって判別して成る請求項４記載の単板切削切断処理工程に於けるベニヤ単板の定尺切断方法。
【請求項６】
帯状のベニヤ単板の全長を予測的に算出するに際し、予め切削した近似的な原木の性状を参照することにより、予め規定した補正値を加減して、現に切削する原木から削成される帯状のベニヤ単板の全長を予測的に算出して成る請求項１〜請求項５のいずれか一つの項に記載の単板切削切断処理工程に於けるベニヤ単板の定尺切断方法。
【請求項７】
捨切り長さを、現に切削する原木の性状に応じて、予め規定して成る請求項１〜請求項６のいずれか一つの項に記載の単板切削切断処理工程に於けるベニヤ単板の定尺切断方法。
【発明の詳細な説明】
【技術分野】
【０００１】
本発明は、単板切削切断処理工程に於けるベニヤ単板の定尺切断方法の改良に関するものである。
【背景技術】
【０００２】
従来、例えば図１・図２に例示する如く、スピンドル１ａ、切削刃１ｂ等を有するベニヤレース１によって原木５からベニヤ単板（以下、単に単板と称す）を削成すると、図１・図９に例示する如く、原木５の不定形な外周部分からは、不連続状の単板６Ａが、また原木５が略円柱状に切削された後は、図９に例示する如く、連続状の単板６Ｂが、夫々削成されることになるので、それらの各単板６Ａ、６Ｂを、合板・単板積層材等の製造に使用するに際しては、相応の成形処理が必要であって、例えば不用部分ｙを有する不連続状の単板６Ａと、連続状の単板６Ｂの内で、不用部分ｙを有する連続状の単板６ａとについては、少なくとも不用部分ｙの除去が必要であり、また図示は省略したが、より好ましくは、不用部分ｙの除去に加えて、有効部分６ｆ同士を相互に剥ぎ合わせる横剥ぎ処理を施すことにより、所要寸法の横剥ぎ定尺単板に成形するのが一層適切であるが、いずれにしても、連続状の単板６Ｂの内で、不用部分を有しない帯状の単板６ｂについては、単に所定長さｈ毎に順次定尺切断することにより、所要寸法の定尺単板６ｃを順次形成すれば足りる。
【０００３】
そこで、例えば特許文献１に開示される如く、スピンドル１ａに付設した原木回転センサー７によって、原木５の回転信号を、また切削刃１ｂに付設した位置検知センサー８によって、切削刃１ｂの現存位置信号を、更にベニヤレース１の後位に単板搬送方向と直交して左右対称に備えた複数の単板検知センサー９によって、連続状の単板６Ｂに含まれる不用部分ｙの検知信号を、夫々シーケンサー等の制御機構（図示省略）に発信させ、前記単板検知センサー９の検知信号に基づいて、連続状の単板６Ｂに含まれる不用部分ｙの所在を確認し、不用部分を有しない帯状の単板６ｂについては、所定長さｈ毎に順次定尺切断して、所要寸法の定尺単板６ｃを順次形成する処理を施すことにより、単板切削切断処理工程の合理化を図る試みが成されている。
【０００４】
図中、２は、特許文献１には開示されてはいないが、定尺切断に用いる代表的装置として例示した定尺切断装置であって、アンビルロール２ａ、回転式切断刃２ｂ等を具備すると共に、連結コンベヤ３を介してベニヤレース１に連結されており、図示しない制御機構の制御に基づいて、不用部分を有しない帯状の単板６ｂを、所定長さｈ毎に順次定尺切断して、所要寸法の定尺単板６ｃを順次形成する。また４ａ、４ｂは、移送コンベヤであって、移送コンベヤ４ａは、不用部分ｙを有する不連続状の単板６Ａと不用部分ｙを有する連続状の単板６ａとを、該移送コンベヤ４ａの後位に配設された屑切断除去装置（図示省略）に移送し、移送コンベヤ４ｂは、実線と点線とで示す如く、適時に往復揺動するよう備えられており、定尺切断装置２によって定尺切断された定尺単板６ｃを、該移送コンベヤ４ｂの後位に配設された堆積装置（図示省略）に移送するが、移送コンベヤ４ａについては、少なくとも不用部分ｙを有する連続状の単板６ａを移送する際に、連結コンベヤ３の搬送速度よりも速い搬送速度で走行させ、先行する連続状の単板６ａと後続する定尺単板６ｃとの間に、移送コンベヤ４ｂが揺動介入できる空間が生じるように構成する。
【特許文献１】特開平１１−１４７２０８号公報
【発明の開示】
【発明が解決しようとする課題】
【０００５】
しかし、特許文献１の発明を含めた従前のこの種の定尺切断処理は、図９に破線（ｚ）で示す如く、不用部分ｙを有する連続状の単板６ａと不用部分を有しない帯状の単板６ｂとの境界位置ｚを、換言すれば、連続状の単板６Ｂの最も搬送方向下手側にある不用部分ｙと不用部分を有しない帯状の単板６ｂとの境界位置ｚを、定尺切断の起点位置として、定尺切断処理を開始する処理形態を採ることから、常に各原木毎に、最後に切断成形される定尺単板６ｃに続いて、所定長さｈに満たない不定長さαを有する端尺単板６ｄが生成される結果となる。図中、６ｅは、原木切削の完了に伴って、帯状の単板６ｂの後尾に付随的に削成される、展開した際の断面が三角状となる不良単板であって、いずれかの時点で、破線（ｐ）で示した、帯状の単板６ｂと不良単板６ｅとの境界位置ｐに於て切断し、除去することが必要である。
【０００６】
そして、述上の如き従前の処理形態に於ては、前記端尺単板６ｄの不定長さαが、一定限度以下の短さとなる場合に限って、以下に述べる不都合が発生し易い欠点があった。即ち、公知の如く、剥芯の近辺から削成される単板の品質は、例えば芯腐れ部を含んでいたり、或は例えば性状が不均一（回転中心軸と年輪芯とが著しく異なる原木の剥芯近辺からから削成される単板には、板目状部分と柾目状部分とが交互に混在するので、後で熱圧処理して製品に成形する際に、厚さが不均等に圧縮変形され易い）であったり、更には例えば強度の巻き癖が残っていたりするなど、比較的低質であるから、端尺単板の不定長さが、一定限度以下の短さであると、最後に切断成形された定尺単板の後端側に、斯様な低質な部位が入り込んで、本来良質であるべき定尺単板の品質低下を惹起する虞が多くなる。また、端尺単板の不定長さが、一定限度以下の短さであると、後工程への移送途中に於て落下して紛失したり、或は乾燥工程に於ける搬送に適さないことから、意図的に捨てられたりする実例も多く、総じて、単板歩留りを悪化させる弊害も惹起している。
【課題を解決するための手段】
【０００７】
本発明は、前記欠点を解消すべく開発したものであって、具体的には、先述の如き単板切削切断処理工程に於て、適宜の単板全長予測手段を用いて、個々の原木毎に、各原木を規定の剥芯径まで切削した場合に削成される帯状の単板の全長を予測的に算出すると共に、先記展開した際の断面が三角状の不良単板と帯状の単板との境界位置から逆算した距離が、前記予測的に算出した全長の範囲内で、且つ、予め規定した捨切り長さと定尺ベニヤ単板の定尺長さの整数倍の長さとを加算した長さとなる特定の箇所を算定し、該特定の箇所を定尺切断の起点位置として、定尺切断処理を開始することを特徴とする単板切削切断処理工程に於ける単板の定尺切断方法（請求項１）と、ベニヤレースの前位に原木の芯出し装置を備え、該原木の芯出し装置に於ける各原木の外周形状の検知信号に基づいて、ベニヤレースに於ける各原木の回転中心軸を定めると共に、各原木から削成される帯状の単板の全長を予測的に算出して成る請求項１記載の単板切削切断処理工程に於ける単板の定尺切断方法（請求項２）と、ベニヤレースと定尺切断装置との間に、不用部分の有無の判別に用いる検知信号を発信する単板検知機構を配設し、削成される単板の最も搬送方向下手側にある不用部分の所在位置を、前記単板検知機構の検知信号に基づいて判別した時点に於ける、ベニヤレースの切削刃の現存位置と、前記最も搬送方向下手側にある不用部分との離間距離に基づいて算出される、既に削成された帯状の単板の長さと、ベニヤレースの切削刃の現存位置に基づいて算出される、残余の原木部分から削成される帯状の単板の長さとを合算することによって、帯状の単板の全長を予測的に算出して成る請求項１記載の単板切削切断処理工程に於ける単板の定尺切断方法（請求項３）と、ベニヤレースに於て現に切削する原木が、帯状の単板の削成に適する状態に至ったか否かを、適宜の原木判別手段によって判別すると共に、帯状の単板の削成に適する状態に至った時点に於ける、ベニヤレースの切削刃の現存位置に基づいて、残余の原木部分から削成される、帯状の単板の全長を予測的に算出して成る請求項１記載の単板切削切断処理工程に於ける単板の定尺切断方法（請求項４）と、ベニヤレースに於て現に切削する原木が、帯状の単板の削成に適する状態に至ったか否かを、ベニヤレースの運転者の目視によって判別して成る請求項４記載の単板切削切断処理工程に於ける単板の定尺切断方法（請求項５）と、帯状の単板の全長を予測的に算出するに際し、予め切削した近似的な原木の性状を参照することにより、予め規定した補正値を加減して、現に切削する原木から削成される帯状の単板の全長を予測的に算出して成る請求項１〜請求項５のいずれか一つの項に記載の単板切削切断処理工程に於ける単板の定尺切断方法（請求項６）と、捨切り長さを、現に切削する原木の性状に応じて、予め規定して成る請求項１〜請求項６のいずれか一つの項に記載の単板切削切断処理工程に於けるベニヤ単板の定尺切断方法（請求項７）とを提案する。
【発明の効果】
【０００８】
本発明に係る単板の定尺切断方法によれば、最後に切断成形される定尺単板の後位には、常に規定の捨切り長さを有する端尺単板が生成されることになるので、先述の如き不都合や弊害の発生が回避されることになる。より具体的に言及すると、剥芯の近辺から削成される単板の低質部位は、専ら端尺単板に含まれることになるので、最後に切断成形される定尺単板の品質低下を惹起する虞がなく、而も、端尺単板は、全て規定の捨切り長さを有しているので、後工程への移送途中に於て落下して紛失したり、或は意図的に捨てられたりすることがなくなり、単板歩留りを悪化させる虞もなくなる。
【０００９】
尚、各原木から削成される帯状の単板の全長を予測的に算出する単板全長予測手段としては、ベニヤレースの前位には既に原木の芯出し装置が備えられている実例が多いことからして、請求項２に係る発明の如く、原木の芯出し装置を活用する単板全長予測手段が至便であるが、請求項３に係る発明の如く、単板検知機構を用いる単板全長予測手段や、請求項４に係る発明の如く、原木判別手段を利用する単板全長予測手段などによっても、格別に複雑な装置類や機器類の配設を新たに要することなく、所望通り、帯状の単板の全長を予測的に算出することが可能である。因に、請求項４に係る発明に用いる原木判別手段としては、請求項５に係る発明の如く、ベニヤレースの運転者の目視による原木判別手段が最も簡便で実用的である。
【００１０】
また、原木は、天然資源である故に、幾何学的に予測算出される帯状の単板の全長と、実際に削成される帯状の単板の長さとが、単なる誤差以上に異なることがあり得る。従って、帯状の単板の全長を予測的に算出するに際しては、請求項６に係る発明の如く、予め切削した近似的な原木の性状を参照することにより、予め規定した補正値を加減して、現に切削する原木から削成される帯状の単板の全長を予測的に算出するのが好ましい。また剥芯の近辺から削成される単板の低質部位の多寡は、原木の性状によって変わるので、捨切り長さも、請求項７に係る発明の如く、原木の性状に応じて定めるのが好ましい。
【発明を実施するための最良の形態】
【００１１】
以下、本発明を図面に例示した実施の一例と共に更に詳述するが、便宜上、既に説明した単板類、機器類、部材類等については、同一の符号を付して、重複する詳細な説明を省略する。但し、図面に例示した機器類、部材類は、代表的な例を挙げたものであって、特に型式を限定したものではなく、要は所望の機能を奏し得る機器類、部材類であれば、支障なく本発明の実施に適用することが可能であるので、それら機器類、部材類の変更例については、後に改めて言及する。
【実施例】
【００１２】
本発明に係る単板の定尺切断方法は、図１・図２に例示する如く、ベニヤレース１と定尺切断装置２とをコンベヤ３を介して連結し、ベニヤレース１によって原木５から削成する一様な厚さの単板（不連続状の単板６Ａ及び連続状の単板６Ｂ）の内で、不用部分を有しない帯状の単板６ｂについては、図面に例示する如き定尺切断装置２を用いて所定長さ毎に順次定尺切断することにより、所要寸法の定尺単板６ｃを順次形成する単板切削切断処理工程に於て、後記各単板全長予測手段を含めた適宜の単板全長予測手段を用いて、例えば図３に例示する如く、個々の原木毎に、各原木を規定の剥芯径まで切削した場合に削成される帯状の単板６ｂの全長Ｗを予測的に算出すると共に、規定の剥芯径に於ける原木切削の完了に伴って、帯状の単板６ｂの後尾に付随的に削成される、展開した際の断面が三角状の不良単板６ｅと帯状の単板６ｂとの境界位置ｐから逆算した距離Ｌが、前記予測的に算出した全長Ｗの範囲内で、且つ、予め規定した捨切り長さｇと定尺単板６ｃの定尺長さｈの整数倍の長さとを加算した長さとなる特定の箇所ｋを算定し、該特定の箇所ｋを定尺切断の起点位置として、定尺切断処理を開始するものである。
斯様な関係を数式化して表すと、
Ｌ＝ｇ＋ｈ×ｎ≦Ｗ
（但し、ｎ＝正の整数）となる。
尚、前記不良単板６ｅと帯状の単板６ｂとの境界位置ｐに於ける切断処理は、移送コンベヤ４ａの後位の屑切断除去装置（図示省略）に移送して行えば差支えないが、必要に応じては、定尺切断装置２を活用して行うようにしても差支えない。
【００１３】
述上の如き特定の箇所ｋを定尺切断の起点位置とする定尺切断方法によれば、符号ｕで示した定尺切断の終了位置に於て最後に切断成形される定尺単板６ｃの後位には、常に規定の捨切り長さｇを有する端尺単板６ｇが生成されることになり、剥芯の近辺から削成される単板の低質部位は、専ら端尺単板６ｇに含まれることになるので、最後に切断成形される定尺単板６ｃの品質低下を惹起する虞がなくなると共に、端尺単板６ｇは、全て規定の捨切り長さｇを有しているので、後工程への移送途中に於て落下して紛失したり、或は意図的に捨てられたりすることもなくなり、単板歩留りを悪化させる虞がなくなる。
但し、斯様な定尺切断方法によると、従前の端尺単板の不定長さαから前記捨切り長さｇを差し引いた残りの長さｍ（ｍ＝α−ｇ）を有する有効部分６ｆが、不用部分ｙを有する連続状の単板６ａの後位に付属するかたちで残存するので、該有効部分６ｆの有効利用を図るには、不用部分ｙを有する連続状の単板６ａの一部と見做して処理するのが好ましく、必要に応じては、不用部分ｙの少なくとも一部と一緒に乾燥処理を施すか、或は例えば不用部分ｙの除去に加えて、未乾燥状態のまま横矧ぎ処理を施して、他の有効部分と繋ぎ合わせることにより、所望の長さの未乾燥定尺単板に成形するのが好ましい。
【００１４】
次に、述上の如き定尺切断方法に用いる単板全長予測手段について詳述すると、例えばベニヤレースの前位に備えた原木の芯出し装置の検知信号を活用する単板全長予測手段が挙げられる。即ち、公知の原木の芯出し装置（図示省略）に於ては、通常、図４に例示する如く、原木５Ａの外周形状に応じて、原木の最大内接円柱５ａが求められ、該最大内接円柱５ａの中心軸Ｑが、ベニヤレース１に於ける原木５Ａの回転中心軸（Ｑ１）に定められるので、一応は、前記最大内接円柱５ａの部分から定尺単板の取得に適する帯状の単板６ｂが削成され始めることになる。但し、前記最大内接円柱５ａの全ての部分から帯状の単板６ｂが取得できるとするのは早計であって、公知の如く、切削刃による原木の切削軌跡５ｂは、原木５Ａの一回転当りに於て、単板の厚さＴづつ、徐々に細くなる渦巻状であるから、不用部分ｙの介在を確実に避けるためには、前記最大内接円柱５ａと切削刃による原木の切削軌跡５ｂとの、原木５Ａの一回転分に相当する断面積の差異の面積だけは、帯状の単板６ｂが取得できない部分として除外する必要がある。
【００１５】
而して、前記断面積の差異の面積は、展開した際の断面が、最大内接円柱の円周（π×Ｄ１）を底辺とし、単板の厚さ（Ｔ）を高さとする、直角三角形と仮定することにより、また先記不良単板６ｅの断面積は、図７に例示する如く、展開した際の断面が、剥芯５ｃの円周（π×Ｄ２）を底辺とし、単板の厚さ（Ｔ）を高さとする、直角三角形と仮定することにより、夫々近似的に算出することができるので、最終的には、前記最大内接円柱の断面積から、前記剥芯の断面積と、前記断面積の差異の面積と、前記不良単板の断面積とを全て差し引き、残余の面積を単板の厚さで除すれば、帯状の単板の全長を予測的に算出することができる。
斯様な関係を数式化して表すと、
Ｗ≒（π×Ｒ１×Ｒ１−π×Ｒ２×Ｒ２−π×Ｄ１×Ｔ÷２−π×Ｄ２×Ｔ÷２）÷Ｔ
（但し、Ｒ１＝最大内接円柱の半径、Ｒ２＝剥芯の半径、Ｄ１＝最大内接円柱の直径、Ｄ２＝剥芯の直径、Ｔ＝単板の厚さ）となる。
【００１６】
因に、述上の如き単板全長予測手段を用いて、帯状の単板の全長を予測的に算出する場合に於ては、切削刃による各原木の切削が、帯状の単板を削成し得る状態に至ったこと（最大内接円柱の半径よりも単板の厚さだけ短い半径を有する仮想円の半径にまで至ったこと）を、位置検知センサーによる切削刃の現存位置信号に基づいて判別することができ、更に先記数式に基づいて算定された特定の箇所が、定尺切断装置の切断位置に到達する時期を、切削刃の現存位置から定尺切断装置の切断位置に至るまでの工程長さと原木回転センサーによる原木の回転信号とに基づいて算術的に算出できるので、必ずしも単板検知センサー類を用いて、最も搬送方向下手側にある不用部分の所在を再検知する必要はなく、後記図６に例示した他の単板全長予測手段の場合と同様に、単板検知センサー類の配設を省略しても差支えない。
【００１７】
次に、別の単板全長予測手段としては、ベニヤレースと定尺切断装置との間に単板検知機構を備えて、不用部分の通過を検知し、その検知信号を活用する単板全長予測手段が挙げられる。即ち、例えば図５に例示する如く、コンベヤ３の上方に単板検知機構を構成する単板検知センサー９を備えて、不用部分ｙの通過を検知する。そして更に、図示しない制御機構により、位置検知センサー８による切削刃１ｂの現存位置信号に基づいて、切削に伴って漸減する原木５Ｂの周長を時々刻々と算出すると共に、原木５Ｂの切削に伴って漸増する不用部分ｙの搬送距離ｘ１と漸減する原木５Ｂの周長とを順次比較する。而して、いずれかの時点で検知した不用部分ｙの搬送距離ｘ１が、当該不用部分ｙを切削した時点に於ける原木５Ｂの周長と同じ長さに至っても、単板検知センサー９が次の不用部分ｙの通過を検知しない場合には、先に検知した不用部分ｙが、不用部分を有する連続状の単板６ａと不用部分を有しない帯状の単板６ｂとの境界を成す、最も搬送方向下手側にある不用部分ｙであることが判明する。
【００１８】
そこで、前記搬送距離ｘ１と、切削刃１ｂの現存位置から単板検知センサー９に至る工程長さｘ２とを合算することにより、切削刃１ｂの現存位置と、前記最も搬送方向下手側にある不用部分ｙとの離間距離、つまり、既に削成された帯状の単板６ｂの長さ（Ｗ１）を算出することができる。他方、不用部分ｙの搬送距離ｘ１が、漸減する原木５Ｂの周長と同じ長さに至った時点に於ける、残余の原木部分から削成される帯状の単板（Ｗ２）の長さは、切削刃１ｂの現存位置に基づいて、以下のように算出することができる。
【００１９】
即ち、不用部分ｙの搬送距離ｘ１が、漸減する原木５Ｂの周長と同じ長さに至った時点に於ける、残余の原木部分の断面積は、図８からも明らかな如く、原木の回転中心軸Ｑ１を中心として切削刃１ｂの現存位置を通る仮想円５ｄの断面積に、展開した際の断面が、前記仮想円５ｄの円周（π×Ｄ３）を底辺とし、単板の厚さ（Ｔ）を高さとする、直角三角形の断面積を合算することにより、近似的に算出することができるので、当該残余の原木部分の断面積から、剥芯の断面積と、不良単板の断面積とを差し引き、残余の面積を単板の厚さで除すれば、残余の原木部分から削成される帯状の単板の長さ（Ｗ２）を予測的に算出することができる。
【００２０】
従って、先述した既に削成された帯状の単板６ｂの長さ（Ｗ１）と、残余の原木部分から削成される帯状の単板の長さ（Ｗ２）とを合算することによって、最終的に、帯状の単板６ｂの全長Ｗを予測的に算出することができる。
斯様な関係を数式化して表すと、
Ｗ＝Ｗ１＋Ｗ２
Ｗ１＝ｘ１＋ｘ２
Ｗ２≒（π×Ｒ３×Ｒ３＋π×Ｄ３×Ｔ÷２−π×Ｒ２×Ｒ２−π×Ｄ２×Ｔ÷２）÷Ｔ
（但し、Ｗ１＝既に削成された帯状の単板の長さ、Ｗ２＝残余の原木部分から削成される帯状の単板の長さ、ｘ１＝単板検知センサーで検知した最も搬送方向下手側にある不用部分の搬送距離、ｘ２＝切削刃の現存位置から単板検知センサーに至る工程長さ、Ｒ３＝原木の回転中心軸を中心として切削刃の現存位置を通る仮想円の半径、Ｄ３＝前記仮想円の直径、Ｒ２＝剥芯の半径、Ｄ２＝剥芯の直径、Ｔ＝単板の厚さ）となる。
【００２１】
また、更に別の単板全長予測手段としては、原木の外周面に於ける不用部分の有無を判別し、その判別結果と切削刃の現存位置の現存位置信号とを活用する単板全長予測手段が挙げられる。即ち、例えば図６に例示する如く、ベニヤレース１に於て現に切削する原木５Ｃが、帯状の単板６ｂの削成に適する状態に至ったか否かを、換言すると、原木５Ｃから全ての不用部分ｙが切削されたか否かを、後述する原木判別手段を含めた適宜の原木判別手段によって判別すると共に、帯状の単板６ｂの削成に適する状態に至った時点に於ける、ベニヤレース１の切削刃１ａの現存位置に基づいて、残余の原木部分から削成される、帯状の単板６ｂの全長を予測的に算出することができる。
【００２２】
残余の原木部分から削成される帯状の単板の長さ（本例にあっては全長）を算出する方式は、前記単板全長予測手段で用いた方式と同様の方式で差支えなく、原木５Ｃが帯状の単板６ｂの削成に適する状態に至った時点に於て、原木の回転中心軸Ｑ１を中心として切削刃１ａの現存位置を通る仮想円５ｅの断面積に、展開した際の断面が、前記仮想円５ｅの円周（π×Ｄ４）を底辺とし、単板の厚さ（Ｔ）を高さとする、直角三角形の断面積を合算することにより、残余の原木部分の断面積を近似的に算出することができるので、該残余の原木部分の断面積から、剥芯の断面積と、不良単板の断面積とを差し引き、残余の面積を単板の厚さで除すれば、帯状の単板の全長が算出できる。
斯様な関係を数式化して表すと、
Ｗ≒（π×Ｒ４×Ｒ４＋π×Ｄ４×Ｔ÷２−π×Ｒ２×Ｒ２−π×Ｄ２×Ｔ÷２）÷Ｔ
（但し、Ｒ４＝原木が帯状の単板の削成に適する状態に至った時点に於て、原木の回転中心軸を中心として切削刃の現存位置を通る仮想円の半径、Ｄ４＝前記仮想円の直径、Ｒ２＝剥芯の半径、Ｄ２＝剥芯の直径、Ｔ＝単板の厚さ）となる。
【００２３】
尚、述上の如き単板全長予測手段を用いて、帯状の単板の全長を予測的に算出する場合に於ては、先記数式に基づいて算定された特定の箇所が、定尺切断装置の切断位置に到達する時期を、切削刃の現存位置から定尺切断装置の切断位置に至るまでの工程長さと原木回転センサーによる原木の回転信号とに基づいて算術的に算出できるので、必ずしも単板検知センサー類を用いて、最も搬送方向下手側にある不用部分の所在を再検知する必要はなく、単板検知センサー類の配設を省略しても差支えない。
【００２４】
因に、ベニヤレースに於て現に切削する原木が、帯状の単板の削成に適する状態に至ったか否かを判別する原木判別手段としては、ベニヤレースの運転者の目視による原木判別手段が最も簡便で実用的であるが、必ずしも運転者の目視に限るものではなく、必要に応じては、図示は省略したが、ベニヤレースにラインセンサー等の原木検知センサーを有する原木判別機構を付設すると共に、制御機構を用いて、前記原木判別機構の原木検知センサーからの原木検知信号に基づく画像処理を施し、不用部分の有無を判別するように構成しても差支えなく、要はベニヤレースに於て現に切削する原木が、帯状の単板の削成に適する状態に至ったか否かを判別できる原木判別手段であれば足りる。
【００２５】
尚、原木は、天然資源である故に、樹種が異なると、性状が異なる実例が多く、更に一本の原木であっても、局部的に性状が異なる実例も多く、結果的に、たとえ同じ太さの原木であっても、性状の違いなどに起因して、個々の原木毎に、実際に削成される帯状の単板の長さが変動することがあり得る。従って、帯状の単板の全長を予測的に算出するに際しては、予め切削した近似的な原木の性状を参照することにより、予め規定した補正値（零を含む）を加減して、現に切削する原木から削成される帯状の単板の全長を予測的に算出するのが好ましい。また更に、例えば大径原木の剥芯の近辺から削成される単板には、芯腐れ部位が混入する確率が多いのに対して、小径原木の剥芯の近辺から削成される単板には、殆ど芯腐れ部位が混入せず、或は例えば針葉樹原木の剥芯の近辺から削成される単板には、強度の巻き癖が残存し易いのに対して、広葉樹原木の剥芯の近辺から削成される単板には、巻き癖があまり残存しないなど、低質部位の多寡は、原木の性状によって変わるので、捨切り長さも、原木の性状に応じて定めるのが好ましい。
【００２６】
因に、最後に切断成形される定尺単板の後位に位置する端尺単板は、例えば他の端尺単板や、或は不用部分を有する連続状の単板から取得される有効部分等と組合わせて使用することになるので、各端尺単板の捨切り長さについては、あまり正確性を必要としないこと，また、定尺単板の最後端部は、最終的に合板等の製品が所望の寸法形状に成形される際に、製品部分から除去される確率が多いことなどから、たとえ予測的に算出した帯状の単板の全長と実際に削成される帯状の単板の長さとの間に誤差が生じて、先記定尺切断の終了位置（ｕ）が前後に若干ズレることがあっても、実用的に格別問題は無く、本発明の実施に際しては、斯様な若干の長さの誤差は許容されるものである。
【００２７】
また、これまでは、帯状の単板の全長を算出する為の面積計算に関する理解を容易化する便宜上、展開した際の不良単板の断面が、剥芯の円周を底辺とし単板の厚さを高さとする直角三角形となると仮定して、説明を進めてきたし、現実的にも、ベニヤレースによって原木を規定の剥芯径まで切削した際に、切削刃の原木求芯方向への前進を暫時停止させると共に、剥芯の断面が真円状となるまで、原木の回転を継続（原木一回転分）することによって、展開した際の断面が、前述の如き直角三角形となる不良単板を削成する実例も多いが、本発明に於ける原木の切削態様としては、必ずしも斯様な切削態様に限定するものではなく、必要に応じては、原木を規定の剥芯径まで切削し終えたら、切削刃を速やかに原木遠芯方向へ後退させることにより、展開した際の断面が、前記直角三角形よりも狭い、略三角状の不良単板を削成し、剥芯の断面を非真円状に留める、一段と能率的な切削処理を行うようにしても差支えない。
【００２８】
次に、本発明の実施に用いる機器類、部材類の設計変更例について述べると、先記各実施例に於て図示した機器類、部材類は、代表的な例を挙げたものであって、特に型式を限定したものでないことは既述の通りであるが、より具体的に詳述すると、先ずベニヤレースについては、図示したスピンドル駆動式の外に、図示は省略したが、例えば駆動源を具備した外周駆動機構の外周駆動部材を、原木の外周に係合させて備え、原木の駆動に要する動力の少なくとも一部を、前記外周駆動部材から供給するよう構成して成る外周駆動式のベニヤレース、或は例えば切削刃（及び／又は外周駆動部材）と対向する位置等に、適数本のバックアップロールを備えて成る形式のベニヤレース、更には例えば外周駆動式のベニヤレースに於て、適時に原木とスピンドルとの係合を開放して、スピンドルの太さよりも細くまで原木を剥くよう構成した、所謂、スピンドルレス併用式のベニヤレース等々、従来公知のあらゆる形式のベニヤレースが適用の対象となる。
【００２９】
また、定尺切断装置についても、図示したロータリー式の外に、図示は省略したが、例えば上下一対の搬送ロールの出口側へ、刃先を単板搬送方向と逆向きに向けて切断刃を備えると共に、刃先が上下一対の搬送ロールの出口側周面に交互に接するよう、前記切断刃を交互に往復揺動させ、定尺単板を一枚づつ交互に異なる搬送路へ分配搬送するよう構成して成る定尺切断装置、或は例えば斜め上方と斜め下方とに往復移動自在に備えた可動刃を、略直角の刃先を有する固定刃に対して交互に斜めに往復移動させて、定尺単板を一枚づつ交互に異なる搬送路へ分配搬送するよう構成して成る定尺切断装置、更には例えば上方に往復移動自在に備えた可動刃を、下方に固定的に備えた固定アンビルに対して往復移動させて、単に単板の切断のみを行う形式の定尺切断装置等々、従来公知のあらゆる形式の定尺切断装置が適用の対象となる。
【００３０】
更に、ベニヤレースと定尺切断装置とを連結するコンベヤについても、図示した形式の外に、図示は省略したが、例えば往復揺動する振分けコンベヤを適宜位置に併設して、先記不連続状の単板の内で、有効部分を全く有しない屑単板については、定尺切断装置まで搬送する以前に、予め捨て去るよう構成して成る形式のコンベヤ、或は例えば前記単に単板の切断のみを行う形式の定尺切断装置に適応するように、定尺切断時に限って、暫時搬送工程長さを微増させるよう構成して成る形式のコンベヤ等々、従来公知のあらゆる形式の連結コンベヤが適用の対象となる。
【００３１】
その外にも、例えば先記実施例に於ける複数の単板検知センサーに代えて、ラインセンサーを備える例など、本発明の実施に用いる機器類、部材類に格別の制約はなく、要は所要の機能を奏し得るものであれば足りる。
【産業上の利用可能性】
【００３２】
以上明らかな如く、本発明は、この種の単板切削切断処理工程に於て、従来に比べて定尺単板の品質を向上させることができるものであり、近時、資源の枯渇に伴って原木が次第に小径化する傾向に照らせば、原木の一本毎に各一枚の定尺単板の品質が向上する特性からして、合板工場・ＬＶＬ生産工場等に於ける実施効果は甚だ大きいものである。
【図面の簡単な説明】
【００３３】
【図１】単板切削切断処理工程の側面概要説明図である。
【図２】単板切削切断処理工程の側面概要説明図である。
【図３】本発明に係る定尺切断方法によって処理する単板の平面説明図である。
【図４】原木の最大内接円柱と切削軌跡との関係位置を示した側面説明図である。
【図５】帯状の単板を切削する途中の状態を示した処理工程の側面説明図である。
【図６】帯状の単板の切削が始まる状態を示した処理工程の側面説明図である。
【図７】連続状の単板の最後尾と剥芯との関係長さを示した側面説明図である。
【図８】原木の回転中心軸と切削刃との関係位置を示した側面説明図である。
【図９】従来の定尺切断方法によって処理する単板の平面説明図である。
【符号の説明】
【００３４】
１                      ：ベニヤレース
１ａ                    ：スピンドル
１ｂ                    ：切削刃
２                      ：定尺切断装置
２ａ                    ：アンビルロール
２ｂ                    ：回転式切断刃
３                      ：連結コンベヤ
４ａ、４ｂ              ：移送コンベヤ
５、５Ａ、５Ｂ、５Ｃ  ：原木
５ａ                    ：原木の最大内接円柱
５ｂ                    ：切削刃による原木の切削軌跡
５ｃ                    ：剥芯
５ｄ、５ｅ              ：原木の回転中心軸を中心として切削刃の現存位置を通る仮想円
６Ａ                    ：不連続状の単板
６Ｂ                    ：連続状の単板
６ａ                    ：不用部分を有する連続状の単板
６ｂ                    ：不用部分を有しない帯状の単板
６ｃ                    ：定尺単板
６ｄ                    ：所定長さに満たない不定長さを有する端尺単板
６ｅ                    ：展開した際の断面が三角状の不良単板
６ｆ                    ：単板の有効部分
７                      ：原木回転センサー
８                      ：位置検知センサー
９                      ：単板検知センサー
Ｌ                      ：定尺切断の起点位置と定尺切断の終点位置との距離
Ｔ                      ：単板の厚さ
Ｗ                    ：帯状の単板の全長
ｈ                      ：定尺単板の定尺長さ
ｋ                      ：本発明に於ける定尺切断の起点位置
ｐ                      ：不良単板と帯状の単板との境界位置
ｕ                      ：定尺切断の終了位置
ｙ                      ：単板の不用部分
ｚ                      ：従来の定尺切断の起点位置
【図１】
0005049142.tif 000002
【図２】
0005049142.tif 000003
【図３】
0005049142.tif 000004
【図４】
0005049142.tif 000005
【図５】
0005049142.tif 000006
【図６】
0005049142.tif 000007
【図７】
0005049142.tif 000008
【図８】
0005049142.tif 000009
【図９】
0005049142.tif 000010